(57)【特許請求の範囲】
【請求項１】
外部からの操作を受け付ける操作部と、
前記操作部への操作により昇降機に対する復旧情報が入力された際に当該復旧情報を記憶する記憶部と、
複数の昇降機に対する復旧情報が前記記憶部に記憶されている際に当該複数の昇降機に対する復旧情報をまとめて自動送信するための送信指令を出力する制御部と、
前記制御部からの送信指令に基づいて前記記憶部に記憶されている当該複数の昇降機に対する復旧情報をまとめて自動送信する送信部と、
を備えた昇降機の復旧情報登録装置。
【請求項２】
前記制御部は、複数の昇降機に対する復旧情報が前記記憶部に記憶されている際に当該複数の昇降機に対する復旧情報を定期的に送信するための送信指令を出力する請求項１に記載の昇降機の復旧情報登録装置。
【請求項３】
前記制御部は、複数の昇降機に対する復旧情報が前記記憶部に記憶されている際に当該複数の昇降機に対する復旧情報の量が予め設定された量を超えている場合に当該複数の昇降機に対する復旧情報を送信するための送信指令を出力する請求項１に記載の昇降機の復旧情報登録装置。
【請求項４】
前記制御部は、複数の昇降機に対する復旧情報が前記記憶部に記憶されている際に現時刻が予め設定された時刻を過ぎている場合に当該複数の昇降機に対する復旧情報を送信するための送信指令を出力する請求項１に記載の昇降機の復旧情報登録装置。
【請求項５】
昇降機に対する復旧情報を復旧情報登録装置に記憶させる記憶工程と、
複数の昇降機に対する復旧情報が前記復旧情報登録装置に記憶されている際に当該複数の昇降機に対する復旧情報をまとめて自動送信するための送信指令を前記復旧情報登録装置に出力させる制御工程と、
前記制御工程において出力された送信指令に基づいて前記復旧情報登録装置に記憶されている当該複数の昇降機に対する復旧情報をまとめて前記復旧情報登録装置に自動送信させる送信工程と、
を備えた昇降機の復旧情報登録方法。
【請求項６】
前記制御工程は、複数の昇降機に対する復旧情報が前記復旧情報登録装置に記憶されている際に当該複数の昇降機に対する復旧情報を定期的に前記復旧情報登録装置に送信させるための送信指令を前記復旧情報登録装置に出力させる工程を含む請求項５に記載の昇降機の復旧情報登録方法。
【請求項７】
前記制御工程は、複数の昇降機に対する復旧情報が前記復旧情報登録装置に記憶されている際に当該複数の昇降機に対する復旧情報の量が予め設定された量を超えている場合に当該複数の昇降機に対する復旧情報を前記復旧情報登録装置に送信させるための送信指令を前記復旧情報登録装置に出力させる工程を含む請求項５に記載の昇降機の復旧情報登録方法。
【請求項８】
前記制御工程は、複数の昇降機に対する復旧情報が前記復旧情報登録装置に記憶されている際に現時刻が予め設定された時刻を過ぎている場合に当該複数の昇降機に対する復旧情報を送信させるための送信指令を前記復旧情報登録装置に出力させる工程を含む請求項５に記載の昇降機の復旧情報登録方法。
【発明の詳細な説明】
【技術分野】
【０００１】
この発明は、昇降機の復旧情報登録装置および復旧情報登録方法に関する。
【背景技術】
【０００２】
特許文献１は、昇降機の監視システムを開示する。当該監視システムにおいては、携帯端末と監視センタとの間で情報の送受信が行われる。
【先行技術文献】
【特許文献】
【０００３】
【特許文献１】特開２００８−２４７５５３号公報
【発明の概要】
【発明が解決しようとする課題】
【０００４】
例えば、地震等の災害が発生した場合、多くの昇降機が緊急停止する。昇降機の状況に関する情報は、監視センタの復旧情報管理装置に集められる。作業員は、復旧していない昇降機の確認と昇降機を復旧させた復旧情報の登録とを携帯端末を用いて行う。この際、多くの作業員が復旧情報管理装置へのアクセスを試みると、復旧情報管理装置に対する通信量が増える。その結果、輻輳が発生する。この場合、昇降機に対する復旧情報を迅速に登録することができない。
【０００５】
この発明は、上述の課題を解決するためになされた。この発明の目的は、昇降機に対する復旧情報を迅速に登録することができる昇降機の復旧情報登録装置および復旧情報登録方法を提供することである。
【課題を解決するための手段】
【０００６】
この発明に係る昇降機の復旧情報登録装置は、外部からの操作を受け付ける操作部と、前記操作部への操作により昇降機に対する復旧情報が入力された際に当該復旧情報を記憶する記憶部と、複数の昇降機に対する復旧情報が前記記憶部に記憶されている際に当該複数の昇降機に対する復旧情報をまとめて自動送信するための送信指令を出力する制御部と、前記制御部からの送信指令に基づいて前記記憶部に記憶されている当該複数の昇降機に対する復旧情報をまとめて自動送信する送信部と、を備えた。
【０００７】
この発明に係る昇降機の復旧情報登録方法は、昇降機に対する復旧情報を復旧情報登録装置に記憶させる記憶工程と、複数の昇降機に対する復旧情報が前記復旧情報登録装置に記憶されている際に当該複数の昇降機に対する復旧情報をまとめて自動送信するための送信指令を前記復旧情報登録装置に出力させる制御工程と、前記制御工程において出力された送信指令に基づいて前記復旧情報登録装置に記憶されている当該複数の昇降機に対する復旧情報をまとめて前記復旧情報登録装置に自動送信させる送信工程と、を備えた。
【発明の効果】
【０００８】
これらの発明によれば、複数の昇降機に対する復旧情報がまとめて送信される。このため、昇降機に対する復旧情報を迅速に登録することができる。
【図面の簡単な説明】
【０００９】
【図１】この発明の実施の形態１における昇降機の復旧情報登録装置が適用されるシステムの構成図である。
【図２】この発明の実施の形態１における昇降機の復旧情報登録装置のブロック図である。
【図３】この発明の実施の形態１における昇降機の復旧情報登録装置のハードウェア構成図である。
【図４】この発明の実施の形態１における昇降機の復旧情報登録装置の動作を説明するためのフローチャートである。
【発明を実施するための形態】
【００１０】
この発明を実施するための形態について添付の図面に従って説明する。なお、各図中、同一又は相当する部分には同一の符号が付される。当該部分の重複説明は適宜に簡略化ないし省略される。
【００１１】
実施の形態１．
図１はこの発明の実施の形態１における昇降機の復旧情報登録装置が適用されるシステムの構成図である。
【００１２】
図１において、複数の建築物１の各々は、昇降機２を備える。例えば、昇降機２は、エレベータからなる。昇降機２の各々は、昇降路２ａを備える。昇降路２ａの各々は、建築物１の各々を貫く。かご２ｂの各々は、昇降路２ａの各々の内部に設けられる。
【００１３】
例えば、監視装置３は、少なくとも一つの昇降機２に設けられる。例えば、復旧情報管理装置４は、昇降機２の保守会社に設けられる。監視装置３と復旧情報管理装置４とは、携帯電話回線を経由させることなく情報の送受信を行う。例えば、監視装置３と復旧情報管理装置４とは、固定電話回線およびＰＨＳ回線の少なくとも一方を経由させて情報の送受信を行う。
【００１４】
例えば、大規模な地震等の災害が発生した場合、多くの昇降機２が緊急停止する。この際、作業員は、復旧情報登録装置５を携帯する。例えば、復旧情報登録装置５は、携帯電話である。例えば、復旧情報登録装置５は、スマートフォンからなる。
【００１５】
作業員は、復旧情報登録装置５を操作することにより携帯電話回線を経由させて復旧情報管理装置４にアクセスする。作業員は、復旧情報管理装置４に記憶されている復旧情報に基づいて復旧していない昇降機２の確認を行う。その後、作業員は、確認した昇降機２に向かう。その後、作業員は、確認した昇降機２を復旧させる。作業員は、復旧していない昇降機２の確認と確認した昇降機２の復旧とを繰り返す。
【００１６】
その後、作業員は、復旧情報登録装置５を操作することにより携帯電話回線または監視装置３を経由させて復旧情報管理装置４にアクセスする。その後、作業員は、複数の昇降機２に対する復旧情報をまとめて復旧情報管理装置４に登録する。
【００１７】
次に、図２を用いて、復旧情報登録装置５を説明する。
図２はこの発明の実施の形態１における昇降機の復旧情報登録装置のブロック図である。
【００１８】
図２に示すように、復旧情報登録装置５は、操作部５ａと記憶部５ｂと送信部５ｃと制御部５ｄとを備える。
【００１９】
操作部５ａは、外部からの操作を受け付ける。記憶部５ｂは、操作部５ａへの操作により昇降機２に対する復旧情報が入力された際に当該復旧情報を記憶する。送信部５ｃは、複数の昇降機２に対する復旧情報が記憶部５ｂに記憶されている際に当該複数の昇降機２に対する復旧情報をまとめて送信する。制御部５ｄは、復旧情報登録装置５の動作を制御する。
【００２０】
例えば、制御部５ｄは、複数の昇降機２に対する復旧情報が記憶部５ｂに記憶されている際に当該複数の昇降機２に対する復旧情報を定期的に送信部５ｃに送信させる。例えば、制御部５ｄは、複数の昇降機２に対する復旧情報が記憶部５ｂに記憶されている際に当該複数の昇降機２に対する復旧情報を１０分間隔で送信部５ｃに送信させる。
【００２１】
例えば、制御部５ｄは、複数の昇降機２に対する復旧情報が記憶部５ｂに記憶されている際に当該複数の昇降機２に対する復旧情報の量が予め設定された量を超えた場合に当該複数の昇降機２に対する復旧情報を送信部５ｃに送信させる。例えば、制御部５ｄは、５つの昇降機２に対する復旧情報が記憶部５ｂに記憶されている場合に当該５つの昇降機２に対する復旧情報を送信部５ｃに送信させる。
【００２２】
例えば、制御部５ｄは、複数の昇降機２に対する復旧情報が記憶部５ｂに記憶されている際に監視装置３に向けて当該複数の昇降機２に対する復旧情報を送信部５ｃに送信させる。
【００２３】
次に、図３を用いて、復旧情報登録装置５の例を説明する。
図３はこの発明の実施の形態１における昇降機の復旧情報登録装置のハードウェア構成図である。
【００２４】
復旧情報登録装置５の各機能は、処理回路により実現される。例えば、処理回路は、少なくとも１つのプロセッサ６ａと少なくとも１つのメモリ６ｂとを備える。例えば、処理回路は、少なくとも１つの専用のハードウェア７を備える。
【００２５】
処理回路が少なくとも１つのプロセッサ６ａと少なくとも１つのメモリ６ｂとを備える場合、復旧情報登録装置５の各機能は、ソフトウェア、ファームウェア、又はソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ６ｂに格納される。少なくとも１つのプロセッサ６ａは、少なくとも１つのメモリ６ｂに記憶されたプログラムを読み出して実行することにより、復旧情報登録装置５の各機能を実現する。少なくとも１つのプロセッサ６ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、メモリ６ｂは、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等である。
【００２６】
処理回路が少なくとも１つの専用のハードウェア７を備える場合、処理回路は、例えば、単一回路、複合回路、プログラム化したプロセッサ、並列プログラム化したプロセッサ、ＡＳＩＣ、ＦＰＧＡ、又はこれらを組み合わせたものである。例えば、復旧情報登録装置５の各機能それぞれは、処理回路で実現される。例えば、復旧情報登録装置５の各機能は、まとめて処理回路で実現される。
【００２７】
復旧情報登録装置５の各機能について、一部を専用のハードウェア７で実現し、一部をソフトウェア又はファームウェアで実現してもよい。例えば、操作部５ａと記憶部５ｂと送信部５ｃとの機能については専用のハードウェア７としての処理回路で実現し、制御部５ｄの機能ついては少なくとも１つのプロセッサ６ａが少なくとも１つのメモリ６ｂに格納されたプログラムを読み出して実行することによって実現してもよい。
【００２８】
このように、処理回路は、ハードウェア７、ソフトウェア、ファームウェア、又はこれらの組み合わせによって、復旧情報登録装置５の各機能を実現する。
【００２９】
次に、図４を用いて、復旧情報登録装置５の動作を説明する。
図４はこの発明の実施の形態１における昇降機の復旧情報登録装置の動作を説明するためのフローチャートである。
【００３０】
ステップＳ１では、制御部５ｄは、操作部５ａが外部からの操作を受け付けたか否かを判定する。ステップＳ１で操作部５ａが外部からの操作を受け付けていない場合は、ステップＳ１が繰り返される。ステップＳ１で操作部５ａが外部からの操作を受け付けた場合は、ステップＳ２に進む。
【００３１】
ステップＳ２では、制御部５ｄは、記憶部５ｂが複数の昇降機２に対する復旧情報を記憶しているか否かを判定する。ステップＳ２で記憶部５ｂが複数の昇降機２に対する復旧情報を記憶していない場合は、ステップＳ１に戻る。ステップＳ２で記憶部５ｂが複数の昇降機２に対する復旧情報を記憶している場合は、ステップＳ３に進む。
【００３２】
ステップＳ３では、制御部５ｄは、現時刻が予め設定された時刻を過ぎているか否かを判定する。
【００３３】
ステップＳ３で現時刻が予め設定された時刻を過ぎていない場合は、ステップＳ４に進む。ステップＳ４では、制御部５ｄは、記憶部５ｂに記憶されている複数の昇降機２に対する復旧情報の量が予め設定された量を超えている否かを判定する。
【００３４】
ステップＳ４で記憶部５ｂに記憶されている複数の昇降機２に対する復旧情報の量が予め設定された量を超えていない場合は、ステップＳ１に戻る。
【００３５】
ステップＳ３で現時刻が予め設定された時刻を過ぎている場合とステップＳ４で記憶部５ｂに記憶されている複数の昇降機２に対する復旧情報の量が予め設定された量を超えている場合は、ステップＳ５に進む。
【００３６】
ステップＳ５では、制御部５ｄは、記憶部５ｂに記憶されている複数の昇降機２に対する復旧情報の全てを送信部５ｃに送信させる。その後、ステップＳ１に戻る。
【００３７】
以上で説明した実施の形態１によれば、複数の昇降機２に対する復旧情報がまとめて自動で送信される。このため、１つの昇降機２毎に復旧情報を登録する必要がない。この場合、復旧情報管理装置４に対する輻輳が抑制される。その結果、昇降機２に対する復旧情報を迅速に登録することができる。
【００３８】
この際、復旧情報登録装置５は、復旧情報管理装置４とのアクセスを確立する情報を必要とする。複数の昇降機２に対する復旧情報がまとめて送信すれば、復旧情報管理装置４とのアクセスを確立する情報の量の総計を削減することができる。
【００３９】
また、送信部５ｃは、複数の昇降機２に対する復旧情報が記憶部５ｂに記憶されている際に当該複数の昇降機２に対する復旧情報を定期的に自動で送信する。このため、作業員が操作することなく昇降機２に対する復旧情報を迅速に登録することができる。
【００４０】
また、送信部５ｃは、複数の昇降機２に対する復旧情報が記憶部５ｂに記憶されている際に当該複数の昇降機２に対する復旧情報の量が予め設定された量を超えた場合に当該複数の昇降機２に対する復旧情報を自動で送信する。このため、作業員が操作することなく昇降機２に対する復旧情報を迅速に登録することができる。
【００４１】
また、送信部５ｃは、複数の昇降機２に対する復旧情報が記憶部５ｂに記憶されている際に監視装置３に向けて当該複数の昇降機２に対する復旧情報を送信する。このため、携帯電話回線が輻輳している場合でも他の回線を利用することにより昇降機２に対する復旧情報を迅速に登録することができる。
【符号の説明】
【００４２】
１  建築物、  ２  昇降機、  ２ａ  昇降路、  ２ｂ  かご、  ３  監視装置、  ４  復旧情報管理装置、  ５  復旧情報登録装置、  ５ａ  操作部、  ５ｂ  記憶部、  ５ｃ  送信部、  ５ｄ  制御部、  ６ａ  プロセッサ、  ６ｂ  メモリ、  ７  ハードウェア
【図１】
0006319176.tif 000002
【図２】
0006319176.tif 000003
【図３】
0006319176.tif 000004
【図４】
0006319176.tif 000005